(57)【要約】【課題】椅子の台座の下面に収納袋又は収納箱を配置することによって、椅子の使用時に邪魔にならず収納でき、またスタッキング時にも、支障なくスタッキングできる。緊急時には椅子の使用者個々が、瞬時に備蓄品を利用でき社会不安を解消できる収納袋、収納箱が提供できる。【解決手段】略矩形状の台座の四隅に脚柱を有し、上下にスタッキング可能な椅子の台座の下面側に取り付ける収納袋において、収納袋又は収納箱には、椅子の台座の下面に取り付ける取り付け部材と、収納袋又は収納箱の周囲又は内部側に、上下にスタッキングする椅子の台座間にスタッキング高さを固定するスペーサーを設けて構成した。【選択図】図１
2017158815.tif 000002
【特許請求の範囲】
【請求項１】
略矩形状の台座の四隅に脚柱を有し、上下にスタッキング可能な椅子の台座の下面側に取り付ける収納袋であって、
前記収納袋には、前記椅子の台座の下面側に取り付ける取り付け部材と、
前記収納袋の周囲又は内部側に、上下にスタッキングする前記椅子の台座間にスタッキング高さを固定するスペーサーを設けてなることを特徴とする収納袋。
【請求項２】
前記収納袋の前記取り付け部材は、前記椅子の台座及び／又は前記椅子の脚柱に巻き付ける紐部材又はテープ部材からなることを特徴とする前記請求項１又は２記載の収納袋。
【請求項３】
前記取り付け部材は、前記椅子の台座及び／又は前記椅子の脚柱に巻き付けるテープ部材からなるものであって、オス部材とメス部材からなる１対の接続面を有する樹脂製のテープ部材からなることを特徴とする前記請求項２記載の収納袋。
【請求項４】
前記スペーサーは、前記収納袋内部に少なくとも対抗する２片が起立した壁からなることを特徴とする前記請求項１乃至３記載の収納袋。
【請求項５】
前記スペーサーは、前記収納袋内部に少なくとも１つの柱を配したことを特徴とする前記請求項１乃至４記載の収納袋。
【請求項６】
略矩形状の台座の四隅に脚柱を有し、上下にスタッキング可能な椅子の台座の下面側に取り付けに適した収納箱であって、
前記収納箱は、前記椅子の台座の下面側に取り付ける取り付け部材が設けられるとともに、前記収納箱の材質は、上下にスタッキングする前記椅子の台座間にスタッキング高さを固定するスペーサーとなるように金属、樹脂、又は木製などの硬質の素材からなることを特徴とする収納箱。
【請求項７】
前記収納箱の前記取り付け部材は、前記椅子の台座及び／又は前記椅子の脚柱に巻き付ける紐部材又はテープ部材からなることを特徴とする前記請求項６記載の収納箱。
【請求項８】
前記収納箱の前記取り付け部材は、前記椅子の台座及び／又は前記椅子の脚柱に巻き付けるテープ部材からなるものであって、オス部材とメス部材からなる１対の接続面を有する樹脂製のテープ部材からなることを特徴とする前記請求項６乃至７記載の収納箱。
【発明の詳細な説明】
【技術分野】
【０００１】
本発明は、防災用品を収納する袋に関し、特に学校用の椅子に取り付ける防災用品収納袋に関する。
【背景技術】
【０００２】
防災用の備蓄品における水や食料、毛布や衣類などは、学校、企業、公共団体など団体で活動している人員のために、一カ所に保存、備蓄することはよく知られている。しかし、学校など教室内で勉強している生徒は、常に教室内にいて、活動している状況にあり
その人数も集中している。
【０００３】
そのため上述の防災用備蓄品を学校が設けた特別な倉庫や体育館などの倉庫に備蓄することも考えられるが、災害時にそれら備蓄品を配布する際には、混乱することが予想され、できれば、生徒の近く、理想的には個別に配布しておくことが望ましい。
【０００４】
しかし、これら災害用備蓄品を個別に配布しておくと、それを生徒が個別に管理することは事実上難しく、災害時にそれを活用することもできない問題がある。たとえば特許文献１のように、椅子にカバーを設置し、そのカバーを災害時に防災頭巾のように使用するものが開示されている。
【０００５】
あるいは、特許文献２に開示されているように、小学校等において常時は袋体にして椅子に掛けておき、地震や火事等の災害時に袋体から取り出して防災用フ−ドを被って避難できるようにしたことを目的とするものが開示されている。
【先行技術文献】
【特許文献】
【０００６】
【特許文献１】特許第５８４３０９８号公報
【特許文献２】実用新案登録第３０３８９５０号公報
【発明の概要】
【発明が解決しようとする課題】
【０００７】
特許文献１及び特許文献２には、防災用品（防災頭巾）そのものを装着することは開示されているにしても、災害用の備蓄品を収納スペースがほとんどなく、防災用の備蓄品を収納するためのスペースを確保することができなかった。
【０００８】
そこで、学校などで災害用の備蓄品を生徒が個々に管理できるスペースを確保するための収納袋を提案するにしても、机や椅子にそのスペースを確保することは難しい。たとえば机には、教科書や体操着など学習に必要なものを収納するスペースはあるものの、災害時や非常事態に必要な防災用の備蓄品を収納するスペースを確保することは難しい。
【０００９】
そこで本発明は、椅子の下部に収納する袋を提案することにし、しかも学校用の椅子は、スタッキングできるものもあり、それらスタッキングも可能とした備蓄品の収納袋を提供することを目的とする。
【課題を解決するための手段】
【００１０】
本発明としての実施例は、略矩形状の台座の四隅に脚柱を有し、上下にスタッキング可能な椅子の台座の下面側に取り付ける収納袋であって、この収納袋には、椅子の台座の下面側に取り付ける取り付け部材と、収納袋の周囲又は内部側に、上下にスタッキングする椅子の台座間にスタッキング高さを固定するスペーサーを設けて構成してなるものである。
【００１１】
請求項２として、収納袋の取り付け部材には、椅子の台座及び／又は前記椅子の脚柱に巻き付ける紐部材又は、テープ部材から構成してなるものである。
【００１２】
請求項３として、請求項２のうちの取り付け部材は、テープ部材からなるものであって、オス部材とメス部材からなる１対の接続面を有する樹脂製のテープ部材で構成してなるものである。
【００１３】
請求項４として、スペーサーは、収納袋内部に少なくとも対抗する２片が起立した壁から構成してなるものである。
【００１４】
請求項５として、スペーサーは、収納袋内部に少なくとも１つの柱を配して構成されるもので、たことを特徴とする前記請求項１乃至４記載の収納袋。
【００１５】
請求項６として、収納形態を収納箱とした場合の実施例であって、略矩形状の台座の四隅に脚柱を有し、上下にスタッキング可能な椅子の台座の下面側に取り付けるものであって、この収納箱は、椅子の台座の下面側に取り付ける取り付け部材が設けられるとともに、収納箱の材質は、上下にスタッキングする椅子の台座間にスタッキング高さを固定するスペーサーとなるように金属、樹脂、又は木製などの硬質の素材から選択したものである。
【００１６】
請求項７として、取り部材は、椅子の台座及び／又は椅子の脚柱に巻き付ける紐部材又はテープ部材からなる構成とした。
【００１７】
請求項８として、請求項７のちの取り付け部材は、椅子の台座及び／又は椅子の脚柱に巻き付けるテープ部材からなるものであって、オス部材とメス部材からなる１対の接続面を有する樹脂製のテープ部材で構成してなるものである。
【図面の簡単な説明】
【００１８】
【図１】本発明の実施例１における代表的な収納袋を示す斜視説明図。
【図２】図１で使用する収納袋のスペーサーの説明図。
【図３】本発明を構成するスペーサーの他の実施例を示す説明図。
【図４】本発明の収納袋を椅子に取り付けた状態を示す説明図。
【図５】本発明の実施例２における代表的なに収納箱を示す斜視説明図。
【図６】図５で示す収納箱を椅子に取り付けた状態を示す背面説明図。
【図７】図６で示す収納箱を取り付けた状態を示す側面説明図。
【図８】本発明の実施例における代表的なに椅子を示す斜視説明図。
【図９】図７の椅子の背面説明図である。
【図１０】図７の椅子の底面の状態を示す底面説明図。
【図１１】図７の椅子を上下にスタッキングした状態を示すスタッキング説明図。
【図１２】図１で示す本発明の収納袋を図７で示す椅子に介在させて椅子をスタッキングするスタッキング説明図。
【図１３】本発明の収納袋を断面Ｔ字型椅子に取り付けた状態を示す説明図。
【図１４】本発明の収納袋等の取り付け部材、や開口部の他の意実施例を示す説明図。
【発明を実施するための形態】
【００１９】
本発明を実施するための形態は、以下の好ましい実施例の説明を添付図面と照らし合わせて説明するものであって、本発明の範囲を限定するものではない。
【００２０】
本発明の収納袋１は、材質を布や樹脂で形成している。そして略矩形状の台座の四隅に脚柱４２、４３を有し、上下にスタッキング可能な椅子４１（図８乃至図１１参照）の台座４４の下面側に取り付けるものであって、この収納袋１には、前記椅子４１の台座４４の下面側に取り付ける取り付け部材２と、収納袋１の内部側に、上下にスタッキングするために、前記椅子４１の台座４４間にスタッキング高さを固定するスペーサー６を設けて構成されるものである。
【００２１】
収納袋１の取り付け部材２は、前記椅子４１の台座４４やこの椅子４１の脚柱４２、４３に巻き付けるテープ部材からなるオス部材とメス部材からなる１対の接続面を有する樹脂製のテープ部材で構成されており、市販ではマジックテープ（登録商標）で構成されるのが理想的である。
【００２２】
また、スペーサー６としては、金属、木、樹脂あるいは硬質の紙や段ボールなどから任意のものが選択され、収納袋１の内部に底板７と三周辺を壁８にした塵取り型に構成されている。このスペーサー６が収納袋１内部に装着されることで、前記椅子４１を上下にスタッキングするとき、台座４４間に位置する収納袋１は、スタッキング高さを均一に固定するスペーサーの役割を果たすことになる（図１２参照）。
【００２３】
スペーサーの構造としては、この塵取り型に限定されることはなく収納袋１の構成が図１中、上面が開口部になる場合は、四周に壁を有する枡型であっても良く、また底板１６に対抗する２辺が起立した壁を有したもの（図３のＢ参照）や底板１２に少なくとも１個以上の柱からなるスパーサーであっても良い。この場合、安定させるためには４個の柱１３のものが理想的である（図３のＡ参照）。この柱１３は、内部を空洞とした円柱状とし、防災用備蓄品の包帯や小物あるいは、小さな壊れやすいものを収納できるようにしているものであっても良い。
【００２４】
本実施例の収納袋１では、開口部は図１中手前がチャック３を設け、前面から開口させることができる。この開口部は、前記スペーサー６を出し入れしたり、防災用品となる備蓄品の出し入れができるようになっているほか、図１中のチャック３の上下にテープや紐などからなる取手を縫い付けたり、底部にショルダー用のテープやひもを縫い付けても良いものである。また、図１中の上面は透明な樹脂からなる確認窓４になっており、収納袋１を持ち出した時には、内部の収納物が確認できるようになっている。
【００２５】
また本実施例の収納袋１の取り付け部材２を、マジックテープ（登録商標）としているが、締め付け容易なベルト形式のものや紐などで構成しても良く、さらには椅子４１のパイプ４２、４３に装着できる金属や樹脂などの固定部材であってもよい。
【００２６】
図１中５は、後述するＴ字型脚を有する椅子に取り付ける場合の取り付け部材であって、本発明の収納袋１は、これらＴ字型脚を有する椅子５１にも取り付けられるようになっている（図１３参照）。
【００２７】
図２中９は、スペーサー６が収納袋１内部に収められ、椅子４１の台座下面に取り付けられるときに、桟部材４６に袋の上から嵌合する桟嵌合溝であって、これにより固定位置でしっかり固定でき取り付け状態が安定する。この場合、スペーサーが収納袋１内部に入り、桟部材４６が収納袋１の生地を介して、桟嵌合溝９に入り込むので、この収納袋１が柔軟性のある布や樹脂などの素材が望ましい。
【００２８】
本発明の他の実施例として、収納袋１以外に、材質を金属、樹脂、木製あるいは硬質の紙、段ボールなどで構成した収納箱２１であっても良いものである。たとえば、図５に示される収納箱２１は、硬質樹脂で構成され、この収納箱２１の取り付け部材は、前記椅子４１の台座４４やこの椅子４１の脚柱４２、４３に巻き付けるテープ部材からなるオス部材とメス部材からなる１対の接続面を有する樹脂製のテープ部材で構成され、例えばマジックテープ（登録商標）からなる部材で構成されても良い（図示せず）。
【００２９】
この取り付け部材は、テープ部材で構成する以外に、椅子４１の脚柱４２、４３となるパイプ及び桟４６に嵌合するように設けられた、係止エッジ２６a,２６b及び側部係止エッジ２７にて、椅子４１の台座４４の下面に取り付けられるようになっている（図５参照）。
【００３０】
具体的には、収納箱２１に設けられた桟嵌合溝２４に椅子４１の桟４６のパイプが嵌合した時に、スプリングでパイプを保持する方向に付勢されている係止エッジ２６aと、通常は、この係止エッジ２６aに対抗する方向にスプリングで付勢されている桟取り付け係止エッジ２６bが設けられている。
【００３１】
また収納箱２１の下端部（図５中奥側）には、椅子４１の脚柱４２の延長線上で台座４４を支えるパイプとの隙間に入り込み、収納箱２１を椅子４１の台座に配置した際に固定されるようにした一対の側部係止エッジ２７が設けられている。この側部係止エッジ２７も桟取り付けエッジ２６ａ、２６ｂと同様にスプリングで外側に所定範囲で付勢されている。
【００３２】
そして収納箱２１には、図５中手前側に取手２２が設けられており、さらに取手２２の内側に、前記桟部４６取り付け係止エッジ２６a、２６b,及び係止エッジ２７の開放レバー２８が設けられており、この開放レバー２８を手前に引けば、前記桟部材取り付け係止エッジ２６a、２６b及び側部係止エッジ２７はスプリングの付勢される方向とは逆にパイプを保持しない状態に解放され、簡単に収納箱２１は下に押し下げることができるようになっている。
【００３３】
この収納箱２１は、図５中の右奥側にヒンジ部３０を有して、開口線２３から開くアタッシュケース型の箱で構成されている。２９は、この収納箱２１の開閉スライドボタンである。本実施例では、図示していないが、この収納箱２１には、ショルダー用あるいは背負うことができるように、ベルトが取り付けられる係止穴や適宜な係止部材を設けておいても良い。
【００３４】
上記実施例において、収納袋１や収納箱２１の取り付け部材を、前記椅子４１の台座４４やこの椅子４１の脚柱４２、４３に巻き付けるテープ部材からなるオス部材とメス部材からなる１対の接続面を有する樹脂製のテープ部材のマジックテープ（登録商標）などで構成した場合の取り付け方法は、図１４に示されるように、テープのオス部材又はメス部材の一方を収納袋６１の側部に取り付ける取り付け部材６２ａ、６２ａと、このテープの先端と接続するメス部材又はオス部材の取り付け部材６２ｂを、前記収納袋の底面側に張り付けて設けても良い（図１４の収納袋底面部の点線部分参照、また図１４中で、収納袋６１の反対側の側部にも取り付け部材６２ａ、６２ａと、この収納袋６１の底面部にそれを受ける取り付け部材が設けられているが、点線での記載を省略している）。
【００３５】
このように一方がオス部材又はメス部材からなる自由端を有するテープ部材としての取り付け部材６２ａ、６２ａと、それを受けるメス部材又はオス部材面を収納袋の底面側に張り付ける取り付け部材６２ｂを設けることによって、椅子４１の脚柱４２、４３に巻き付ける際に、取り付け作業がきわめて容易にでき、取り付け部材６２ａ、６２ａ先端を収納袋６１の底面部に固定されている取り付け部材６２ｂに簡単に張り付けられ、片手で簡単に固定できる。
【００３６】
この場合、それぞれのテープの一方の取り付け向きを上部外側又は上部内側に向けることで、単に座面側に引き付けるだけでなく、収納袋の前後の移動を確実に規制でき、しっかり固定できるようになる。
【００３７】
また、収納袋６１の開口部は、図１中の左手前側にチャックで開口できるようにする以外に、図１４に示されるように側壁面を延長した側壁ベロ部６５と、上下に重なり部を有する開閉ベロ６６ａ、６６ｂからなる開閉蓋を設け、この重なり部に、マジックテープ（登録商標）のオス部材面６７ａ又はメス部材６７ｂ面を張り付け、開閉封止できる構成にしても良い。
【００３８】
図１４の収納袋６１は、より開口部を大きく開けるためのチャック部を設けてなるものであって、このチャックによる開口部は、例えば図１４中の透明窓部分の三周辺に渡って、チャック部が設けられ、三周辺が開口されて扉状に開閉されても良いものである。
【００３９】
以上、構成される本発明の収納袋１、収納袋６１や収納箱２１は、四脚のスタッキング可能な椅子４１に使用した際に、スタッキングでき（図１２参照、収納袋６１、収納箱２１も同様にスタッキングできるので図は省略する）、特に学校用の椅子に採用された場合には、災害用の備蓄品があらかじめ個別に配布された状態になり、災害時にそれら備蓄品を瞬時に利用できる。
【００４０】
また、実施例１に示される収納袋１ようにＴ字型椅子５１の場合、収納袋１の側部、中央には、Ｔ字型椅子５１の脚柱５２に補助取り付け部材５、後段の取り付け部材２により、前記収納袋１を取り付けることもできる。もちろんこの補助取り付け部材５は、図示してないが収納袋６１、収納箱２１に取り付けても良いことは言うまでもない。
【００４１】
このように、本発明の収納袋1、収納袋６１及び収納箱２１は、災害時の防災用品をいかに多くの生徒などをはじめとする、多くの避難民にいかに早く、提供するかという問題を解決するきわめて有益なものとして社会的な問題を解決できる商品となる。
【符号の説明】
【００４２】
１、６１  収納袋
２、６２ａ、６２ｂ  取り付け部材
３  開口部
４、６４  確認窓
５  補助取り付け部材
６、１１、１５  スペーサー
７、１２、１６  底板
８、１７  壁
９  桟嵌合溝
１３  柱
２１  収納箱
２２  取手
２３  開口部
２４  桟嵌合溝
２５  桟取り付けエッジ
２６  係止エッジ
２７  側部係止エッジ
２８  離脱レバー
２９  開閉レバー
４１、５１  椅子
４２、４３  脚柱
４４、５４  台座
４５、５５  背もたれ
５２  Ｔ字型脚柱
５３  低盤
【図１】
2017158815.tif 000003
【図２】
2017158815.tif 000004
【図３】
2017158815.tif 000005
【図４】
2017158815.tif 000006
【図５】
2017158815.tif 000007
【図６】
2017158815.tif 000008
【図７】
2017158815.tif 000009
【図８】
2017158815.tif 000010
【図９】
2017158815.tif 000011
【図１０】
2017158815.tif 000012
【図１１】
2017158815.tif 000013
【図１２】
2017158815.tif 000014
【図１３】
2017158815.tif 000015
【図１４】
2017158815.tif 000016